(57)【特許請求の範囲】
【請求項１】
第１の映像信号を生成して、接続されている表示装置に出力する映像信号出力手段と、
前記表示装置に表示される前記映像信号出力手段の出力する第１の映像信号とは異なる第２の映像信号に基づく映像を表示する子画面の大きさ、位置の設定の変更指示操作を受け付ける操作子と、
前記表示装置に表示される子画面の大きさ、位置を決定する情報である子画面設定情報を、前記操作子から受信した変更指示操作に応じて生成して、前記表示装置に送信する子画面設定情報変更手段と、
を備え、
前記子画面設定情報変更手段は、前記操作子から前記変更指示操作を受け付けたとき、前記表示装置の子画面を非表示状態とする非表示指示情報を生成して、前記表示装置に送信し、
前記変更指示操作における前記操作子の操作に応じて大きさ、位置を変更する擬似子画面を前記第１の映像信号に合成し、
前記操作子で子画面の大きさ、位置を決定する操作を受け付けたとき、前記擬似子画面を消去して、決定した子画面設定情報とともに、前記表示装置の子画面を表示状態とする表示指示情報を前記表示装置に送信することを特徴とする情報処理装置。
【請求項２】
前記擬似子画面は、画面枠組みのみ、または半透明であることを特徴とする請求項１に記載の情報処理装置。
【請求項３】
前記擬似子画面は、前記表示装置の子画面に現在表示されるべき映像を表示する映像画面であることを特徴とする請求項１に記載の情報処理装置。
【請求項４】
前記子画面設定情報を保存する子画面設定情報保存手段と、
前記子画面設定情報保存手段に記憶されている子画面設定情報を選択して読み出し、読み出した子画面設定情報を前記表示装置に送信する設定情報選択手段をさらに備えた請求項１乃至請求項３のいずれかに記載の情報処理装置。
【請求項５】
情報処理装置と、当該情報処理装置に接続される表示装置と、からなる表示システムであって、
前記表示装置は、複数の映像信号を入力する映像信号入力手段と、
表示する子画面の大きさ、位置の設定情報である子画面設定情報を記憶する表示設定情報記憶手段と、
前記表示設定情報記憶手段に記憶されている子画面設定情報に基づいて、前記複数の映像信号のうちいずれか１つの映像信号に基づく映像を親画面に表示し、他の映像信号に基づく映像を子画面に表示する画面表示手段と、
前記情報処理装置から制御情報を受信する制御情報受信手段と、
を備え、
前記情報処理装置は、
映像信号を生成して、前記表示装置に出力する映像信号出力手段と、
前記表示装置に表示される子画面の大きさ、位置の設定の変更指示操作を受け付ける操作子と、
前記子画面設定情報を、前記操作子から受信した変更指示操作に応じて生成して、前記表示装置に送信する子画面設定情報変更手段と、
を備え、
前記子画面設定情報変更手段は、前記操作子から前記変更指示操作を受け付けたとき、前記表示装置の子画面を非表示状態とする非表示指示情報を生成して、前記表示装置に送信し、
前記画面表示手段は、前記非表示指示情報を受信した場合に前記子画面を非表示状態とし、
前記子画面設定情報変更手段は、前記変更指示操作における前記操作子の操作に応じて大きさ、位置を変更する擬似子画面を前記映像信号に合成し、
前記操作子で子画面の大きさ、位置を決定する操作を受け付けたとき、前記擬似子画面を消去して、決定した子画面設定情報とともに、前記表示装置の子画面を表示状態とする表示指示情報を前記表示装置に送信し、
前記表示装置は、受信した子画面表示設定情報に基づいて、前記表示設定情報記憶手段に記憶されている子画面設定情報を変更する変更手段を備え、
画面表示手段は、前記表示指示情報を受信した場合に前記子画面を表示状態とすることを特徴とする表示システム。
【発明の詳細な説明】
【技術分野】
【０００１】
本発明は多画面同時表示を行う表示装置、および表示装置に接続される情報処理装置（パーソナルコンピュータ等）に関し、特に子画面の表示条件を容易に変更することができる情報処理装置、表示装置、および表示システムに関する。
【背景技術】
【０００２】
パーソナルコンピュータ（以下、ＰＣと言う）等の情報処理装置に使用される一般的なディスプレイは、輝度、コントラスト等の画面表示機能をユーザが任意に設定して変更するように構成されている。また、近年、複数の入力インタフェースを有し、ＰＣの画面のみならず、テレビ等、多画面を同時に表示するディスプレイが普及している。
【０００３】
このようなディスプレイにおいては、メインの映像ソースを表示する画面（親画面）の内部に、サブの映像ソースを表示する画面（子画面）を同時に表示することが可能である。親画面は、モニタ全面に表示されるが、子画面は例えば親画面内の隅に小さくウィンドウ表示される。
【０００４】
ディスプレイの前面には、画面表示機能や子画面の大きさ、位置等を調整するボタン等が設けられている。また、同様の機能を有するボタンを備えたリモコン等を備えている場合が多い。利用者は、これらを手動で操作して所望の子画面位置、大きさに設定変更したり、ＯＳＤ機能によりディスプレイ上に表示される設定画面（以下、ＯＳＤメニューと言う）を見ながら、見やすい状態に設定変更したりして使用する。子画面の大きさ、位置を変更するには、メーカが予め定めた複数の設定条件の中から選択するという構成が一般的である。
【０００５】
しかし、上記のようなボタン、リモコン等は操作性が悪く、ユーザにとって煩わしいものであった。そこで、ユーザがＰＣの操作を行う操作デバイス（キーボード、マウス等）を用いて画面表示機能を変更することができるようにした画像表示装置が提案されている（例えば特許文献１参照）。
【特許文献１】特開２００１−１７５３７８
【発明の開示】
【発明が解決しようとする課題】
【０００６】
特許文献１に記載の画像表示装置はＯＳＤメニューをマウス等で操作し、設定変更することが記載されている。しかしながら、ＯＳＤメニューをマウス等で操作することができても、子画面の大きさ、位置を変更するには、依然としてメーカが予め定めた複数の設定条件の中から選択するという構成は変わらず、設定自由度に乏しいものであった。
【０００７】
また、予め設定条件が多数に用意されており、ユーザが目的とする子画面の大きさ、位置の条件が有ったとしても、ＯＳＤメニューをマウス等で操作して、目的とする子画面の大きさ、位置の設定条件を（ボタンを何度も押すなどして）選択しなければならず、ユーザにとって煩わしいという問題が有った。
【０００８】
本発明は、多画面同時表示を行うディスプレイの子画面表示条件を、ユーザが所望とする条件に直感的かつ容易に変更できるようにした情報処理装置、表示装置、および表示システムを提供することを目的とする。
【課題を解決するための手段】
【０００９】
請求項１に記載の発明は、第１の映像信号を生成して、接続されている表示装置に出力する映像信号出力手段と、前記表示装置に表示される前記映像信号出力手段の出力する第１の映像信号とは異なる第２の映像信号に基づく映像を表示する子画面の大きさ、位置の設定の変更指示操作を受け付ける操作子と、前記表示装置に表示される子画面の大きさ、位置を決定する情報である子画面設定情報を、前記操作子から受信した変更指示操作に応じて生成して、前記表示装置に送信する子画面設定情報変更手段と、を備え、前記子画面設定情報変更手段は、前記操作子から前記変更指示操作を受け付けたとき、前記表示装置の子画面を非表示状態とする非表示指示情報を生成して、前記表示装置に送信し、前記変更指示操作における前記操作子の操作に応じて大きさ、位置を変更する擬似子画面を前記第１の映像信号に合成し、前記操作子で子画面の大きさ、位置を決定する操作を受け付けたとき、前記擬似子画面を消去して、決定した子画面設定情報とともに、前記表示装置の子画面を表示状態とする表示指示情報を前記表示装置に送信することを特徴とする。
【００１０】
この発明では、親画面（ディスプレイ全面に表示される画面）の内部に子画面（ディスプレイにウィンドウ表示される画面）を同時に表示するディスプレイに接続されるＰＣから制御信号を送信する。制御信号は、例えばＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）で定められた規格であるＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）によりコントロールコマンドとして送信する。ＰＣは、マウスなどの操作子によってユーザから子画面の大きさ、位置の変更指示操作を受けると、これに応じてディスプレイに制御信号を送信する。ディスプレイは、この制御信号に応じて子画面の大きさ、位置を変更する。
【００１２】
この発明では、ユーザがマウスなどの操作子によって子画面の大きさ、位置の変更指示操作を行うと、一時的に子画面を非表示状態とする。設定変更がされると再び子画面を表示状態とする。一時的に子画面を非表示とするので、ユーザの操作を妨げることが無い。ユーザがマウスなどの操作子によって子画面の大きさ、位置の変更指示操作を行うと、ＰＣの画像メモリに擬似子画面を生成する。ディスプレイにおいては、この擬似子画面が表示される。これにより、ユーザは設定すべき大きさ、位置をディスプレイ上で確認することができ、より設定変更を容易にする。ユーザがマウスなどの操作子によって子画面の大きさ、位置の変更指示操作を終えると、擬似子画面を消去する。一時的に擬似子画面が表示されるのみであり、その後の画面表示を妨げることが無い。
【００１３】
請求項２に記載の発明は、上記発明において、前記擬似子画面は、画面枠組みのみ、または半透明であることを特徴とする。
【００１４】
この発明では、擬似子画面は、ウィンドウ枠組みのみ、半透明のウィンドウである。枠のみ、または半透明とすることで、ユーザの操作を妨げることが無い。
【００１５】
請求項３記載の発明は、上記発明において、前記擬似子画面は、前記表示装置の子画面に現在表示されるべき映像を表示する映像画面であることを特徴とする。
【００１６】
この発明では、擬似子画面は、ディスプレイの子画面に表示される実映像画面（例えばテレビ映像）である。子画面の実映像をリアルタイムに表示するには、接続したディスプレイの実映像情報をディスプレイから受信すればよい。例えばディスプレイから専用線（ＵＳＢ等）を介して映像データを受信する。
【００１７】
請求項４に記載の発明は、上記発明において、前記子画面設定情報を保存する子画面設定情報保存手段と、前記子画面設定情報保存手段に記憶されている子画面設定情報を選択して読み出し、読み出した子画面設定情報を前記表示装置に送信する設定情報選択手段をさらに備えたことを特徴とする。
【００１８】
この発明では、ＰＣの記憶装置（ハードディスクドライブなど）に子画面の設定条件を記憶する。記憶された設定条件を読み出すことで、過去にユーザが指定した条件をいつでも設定できる。また、大容量のＰＣの記憶装置に記憶しておくので、多数の設定条件を記憶しておける。これにより、ユーザは、ディスプレイの使用条件（ＴＶ鑑賞用、ゲーム用、パソコン用）に応じた子画面の設定をいくつも保存しておくことができる。
【００２３】
請求項５に記載の発明は、情報処理装置と、当該情報処理装置に接続される表示装置と、からなる表示システムであって、前記表示装置は、複数の映像信号を入力する映像信号入力手段と、表示する子画面の大きさ、位置の設定情報である子画面設定情報を記憶する表示設定情報記憶手段と、前記表示設定情報記憶手段に記憶されている子画面設定情報に基づいて、前記複数の映像信号のうちいずれか１つの映像信号に基づく映像を親画面に表示し、他の映像信号に基づく映像を子画面に表示する画面表示手段と、前記情報処理装置から制御情報を受信する制御情報受信手段と、を備え、前記情報処理装置は、映像信号を生成して、前記表示装置に出力する映像信号出力手段と、前記表示装置に表示される子画面の大きさ、位置の設定の変更指示操作を受け付ける操作子と、前記子画面設定情報を、前記操作子から受信した変更指示操作に応じて生成して、前記表示装置に送信する子画面設定情報変更手段と、を備え、前記子画面設定情報変更手段は、前記操作子から前記変更指示操作を受け付けたとき、前記表示装置の子画面を非表示状態とする非表示指示情報を生成して、前記表示装置に送信し、前記画面表示手段は、前記非表示指示情報を受信した場合に前記子画面を非表示状態とし、前記子画面設定情報変更手段は、前記変更指示操作における前記操作子の操作に応じて大きさ、位置を変更する擬似子画面を前記映像信号に合成し、前記操作子で子画面の大きさ、位置を決定する操作を受け付けたとき、前記擬似子画面を消去して、決定した子画面設定情報とともに、前記表示装置の子画面を表示状態とする表示指示情報を前記表示装置に送信し、前記表示装置は、受信した子画面表示設定情報に基づいて、前記表示設定情報記憶手段に記憶されている子画面設定情報を変更する変更手段を備え、画面表示手段は、前記表示指示情報を受信した場合に前記子画面を表示状態とすることを特徴とする。
【発明の効果】
【００２５】
以上のように、この発明によれば、多画面同時表示を行うディスプレイの子画面表示条件を、マウスやキーボード等の操作子を用いてユーザが所望とする条件に直感的かつ容易に変更できる。
【発明を実施するための最良の形態】
【００２６】
以下、本発明の実施形態の表示システムについて図を用いて詳細に説明する。
図１は、本発明の実施形態に係る表示システムの構成を示すブロック図である。この表示システムは、ＰＣ１、およびＰＣ１に接続されるディスプレイ２を備えている。
【００２７】
ＰＣ１は、ディスプレイ２とデータ送受信を行うインタフェース１１、ＰＣ１を統括的に制御する制御部１２、記憶部であるハードディスクドライブ（ＨＤＤ）１３、ユーザが操作を行う操作部１４、およびワークメモリであるＲＡＭ１５を備えている。制御部１２には、インタフェース１１、ＨＤＤ１３、操作部１４、およびＲＡＭ１５が接続されている。インタフェース１１は、アナログ映像出力端子（Ｄ−ＳＵＢ）やデジタルＤＶＩ入力端子により構成される汎用の映像信号出力インタフェースである。
【００２８】
ＰＣ１は、ディスプレイ２とアナログ（ＲＧＢ）接続ケーブルやデジタル（ＤＶＩ）ケーブル等の汎用映像信号ケーブルで接続している。ＰＣ１は、ディスプレイ２に画面表示のためのＰＣ映像信号とディスプレイ２を制御するための制御信号を送信する。制御信号は、ＶＥＳＡで定められた規格であるＤＤＣ／ＣＩによりコントロールコマンドとして送信する。
【００２９】
制御部１２は、ＣＰＵにより構成され、ＨＤＤ１３に記憶されている各種プログラムを読み出し、ＲＡＭ１５に展開して様々な動作を行う。
【００３０】
操作部１４は、マウスやキーボード等の入力機器により構成され、ユーザの操作に応じた操作信号を制御部１２に出力する。制御部１２は、この操作信号に基づいて種々の動作を行う。
【００３１】
ディスプレイ２は、テレビジョン（以下、ＴＶと言う）放送用のチューナを内蔵したＰＣ用のディスプレイであり、例えばＬＣＤ、ＣＲＴ等により構成される。本実施形態においては、ＬＣＤにより構成されるディスプレイ２について説明する。図１に示すように、このディスプレイ２は、ＰＣ１とデータ送受信を行うインタフェース２１、インタフェース２１を介してＰＣ１から受信した制御信号に基づいて種々の動作を行い、ディスプレイ２を制御する制御部２２、記憶部であるＲＯＭ２３、ＴＶ放送を受信して復調し、ＴＶ映像信号およびＴＶ音声信号を出力するチューナ２４、入力された音声信号を処理（音量制御）する音声処理部２５、入力音声信号から音声を発音するスピーカ２６、インタフェース２１を介してＰＣ１から受信したＰＣ映像信号、およびチューナ２４を介して受信したＴＶ映像信号から画面表示の処理をする画像処理部２７、および画像処理部２７の制御により画面表示を行う液晶表示パネルである表示部２８、を備えている。
【００３２】
インタフェース２１は、アナログ映像入力端子（Ｄ−ＳＵＢ）やデジタルＤＶＩ入力端子により構成される汎用の映像信号入力インタフェースである。
【００３３】
制御部２２には、インタフェース２１、ＲＯＭ２３、チューナ２４、音声処理部２５、および画像処理部２７が接続されている。制御部２２はＲＡＭを内蔵したマイコンにより構成される。制御部２２は、ＲＯＭ２３に記憶されている各種設定を読み出し、内蔵するＲＡＭに展開して、接続されているチューナ２４、音声処理部２５、および画像処理部２７の制御を行う。
【００３４】
チューナ２４は、Ｆ型ＴＶ端子等によりＴＶアンテナと接続され、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）で定められた規格のＴＶ信号を受信し、これを復調してＴＶ映像信号を画像処理部２７に出力する。チューナ２４は、ユーザがディスプレイ２に設置された操作ボタン（図省略）等によって選択する所望のチャンネルのＴＶ映像信号のみを選別して出力する。また、チューナ２４は、受信したＴＶ信号からＴＶ音声信号を分離して音声処理部２５に出力する。この音声信号は、音声処理部２５で音量調整され、スピーカ２６から放音される。なお、この例ではチューナ２４をＮＴＳＣ信号（アナログ放送）用のチューナとして記載しているが、ＩＳＤＢ（Integrated Services Digital Broadcasting）等のデジタル放送用のチューナであってもよい。
【００３５】
画像処理部２７には、インタフェース２１、制御部２２、チューナ２４、および表示部２８が接続されている。画像処理部２７は、インタフェース２１を介してＰＣ１から受信したＰＣ映像信号に基づいて、表示部２８の液晶パネルを駆動する。また、チューナ２４を介して受信したＴＶ映像信号に基づいて、表示部２８の液晶パネルを駆動する。なお、画像処理部２７は必要に応じてＡ／Ｄコンバータを内蔵しており、アナログ映像信号を受信した場合にデジタル信号に変換し、処理を行うものである。
【００３６】
画像処理部２７は、制御部２２の指示に基づいて、上記ＰＣ映像信号とＴＶ映像信号のいずれかを選択的に表示部２８に表示する。また、画像処理部２７は、制御部２２の指示に基づいて、ＰＣ映像信号とＴＶ映像信号を同時に多画面で表示部２８に表示することが可能である。
【００３７】
図２は、多画面表示を説明する図である。同図に示すように、画像処理部２７は、制御部２２の指示に基づいてメインの映像である親画面２０１の画面内にサブの映像である子画面２０２を合成して表示する。例えば親画面２０１にＰＣ映像信号による画面表示を行い、その画面内の所定位置（同図においては画面右下）において、ＴＶ映像信号による画面の合成を行い、子画面２０２として表示する。なお、親画面と子画面にＰＣ映像信号とＴＶ映像信号のいずれを表示するかは、ユーザがディスプレイ２に設置された操作ボタン等によって選択するようにしてもよいし、リモコン（図省略）等により選択するようにしてもよい。また、上述したようにＰＣから制御信号を送信することで選択するようにしてもよい。
【００３８】
制御部２２は、ＲＡＭに展開した設定情報（子画面の位置、大きさ、音声選択）に応じて画像処理部２７、および音声処理部２５の制御を行い、上記の子画面２０２の位置、大きさを設定するとともに、音声処理部２５がスピーカ２６に出力する音声を設定する。音声は、チューナ２４から入力されたＴＶ音声、または外部音声信号（例えばＰＣ１からの音声）のいずれかが選択される。また、設定情報に記憶されている音声選択情報には、親画面の音声を出力するか、子画面の音声を出力するかを決定する情報が記載されている。例えば、音声選択情報に親画面の音声を出力するように記載され、親画面にＰＣ映像信号が表示されている場合には、制御部２２はＰＣからの音声を出力するように音声処理部２５に設定する。
【００３９】
この設定情報はＲＯＭ２３に記憶されている。ＲＯＭ２３には複数パターンの設定情報が記憶されており、制御部２２は、ユーザの選択操作に応じて選択されたパターンの各設定情報を読み出し、ＲＡＭの情報を書き換える。制御部２２は、書き換えたＲＡＭの内容で画像処理部２７の制御を行い、子画面２０２の位置、大きさを設定する。また、書き換えたＲＡＭの内容で音声処理部２５の制御を行い、出力音声を設定する。図３は、子画面の位置、大きさの変更を示した図である。同図（Ａ）に示すように、ＲＯＭ２３には、親画面２０１の画面内の４隅のいずれかの位置に子画面２０２を表示するように設定情報が複数パターン記憶されており、制御部２２が各設定情報をＲＡＭに展開することで子画面の位置を変更する。また、同図（Ｂ）に示すように、ＲＯＭ２３には、大きさの異なる子画面２０２の設定情報が複数記憶されており、制御部２２が各設定情報をＲＡＭに展開することで子画面の大きさを変更する。
【００４０】
以上の変更指示は、ユーザがディスプレイ２に設置された操作ボタン等によって行ってもよいし、リモコン等で行ってもよい。また、ここではＲＯＭ２３に記憶されたパターンを読み出しているが、ＲＡＭに任意の設定情報を書き込んでもよい。本発明の本実施形態においては、ユーザがＰＣ１の操作部１４を用いて任意の設定情報を設定指示することも可能である。
【００４１】
図１において、ユーザが操作部１４を用いて子画面の位置、大きさの変更を指示すると、ＰＣ１の制御部１２は、ディスプレイ２に子画面の位置、大きさの変更を行うよう、制御信号（ＤＤＣ／ＣＩ）を送信する。ＰＣ１のＨＤＤ１３は、このような制御信号を送信するためのソフトウェアを記憶しており、制御部１２がこのソフトウェアをＲＡＭ１５に展開することで、ＰＣ１からディスプレイ２に制御信号を送信する。なお、上述したチューナ２４のチャンネル変更、親画面と子画面の表示映像変更についてもＰＣ１の操作部１４を用いて行ってもよい。
【００４２】
上記のＰＣ１が送信する制御信号に応じてディスプレイ２が動作する場合について説明する。
制御部２２は、インタフェース２１を介してＰＣ１が送信する制御信号（ＤＤＣ／ＣＩ）に基づいて、接続されているチューナ２４、音声処理部２５、および画像処理部２７の制御を行う。
【００４３】
制御部２２は、ＰＣ１から受信した制御信号に基づいてＲＡＭに展開している情報を書き換える。例えば、ＰＣ１から子画面２０２を親画面２０１内の右上に表示位置を変更するように制御信号が送信された場合、これに応じてＲＡＭに展開している設定情報を書き換える。この書き換えたＲＡＭの設定情報に応じて画像処理部２７の制御を行い、表示部２８に表示する子画面２０２の表示位置を設定する。なお、ディスプレイ２の制御部２２は、子画面の位置、大きさの変更以外にも、ＰＣ１から制御信号に基づいて輝度、コントラスト等の画面表示機能の変更を行うようにしてもよい。また、制御部２２は、制御信号に応じてディスプレイ２の電源オン／オフ、スピーカ２６（音声処理部２５）の音量等の設定も行うようにしてもよい。
【００４４】
本発明の実施形態に係る表示システムは、予めＲＯＭ２３に記憶されている設定情報に基づく子画面の位置、大きさ以外に、ユーザの意図する子画面の位置、大きさに自由に変更することも可能である。以下、ユーザが意図する子画面の位置、大きさに変更する場合について説明する。
【００４５】
図４は、ユーザが任意に設定する場合における子画面の位置、大きさの変更を示した図である。同図においては、ＰＣ映像信号が親画面２０１に表示されている。親画面２０１には、操作部１４のユーザの操作に応じて移動するカーソル２５０が表示される。まず、ユーザが操作部１４を用いて子画面の設定変更を指示する（例えば起動している設定変更ソフトウェアを操作して設定変更を指定する）と、同図に示すように、親画面２０１内に表示されていた子画面２０２に代わって、同じ位置に同じ大きさで擬似子画面２０３が表示される。擬似子画面２０３は、ＰＣ１の制御部１２がＲＡＭ１５（または映像出力用専用メモリ）に展開している出力映像信号を変更することで表示する。つまり、ディスプレイ２においては、上記子画面２０２を消去し、親画面２０１のみを表示部２８に表示すればよい。ディスプレイ２において子画面２０２を消去するにはＰＣ１の制御部１２が制御信号を送信することで実現できる。
【００４６】
この擬似子画面２０３は、ＰＣ１の基本ソフト（ＯＳ）におけるウィンドウとして表示される。また、この擬似子画面２０３は、ウィンドウ枠のみ、または半透明のウィンドウとして表示される。枠のみ、または半透明として表示されることで、ユーザのＰＣ１の操作を妨げることがない。なお、子画面２０２に表示されるべき実映像（例えばＴＶの映像）映像を擬似子画面２０３としてリアルタイムに表示するようにしてもよい。この場合、ディスプレイ２から子画面に表示する実映像の映像データ（映像信号）を専用線（ＵＳＢ等）を介して受信する。無論、ＰＣ１がディスプレイ２に映像信号を送信している接続ケーブルを介して受信するようにしてもよい。また、ＰＣ１にチューナを内蔵している場合は、このチューナからディスプレイ２の子画面に表示されている映像チャンネルと同じ映像をリアルタイムに表示すればよい。
【００４７】
この状態においては、ユーザは擬似子画面２０３をＰＣ１のＯＳにおける通常のウィンドウと同じように操作することができる。すなわち、同図（Ａ）に示すように、操作部１４（主にマウス）を操作して擬似子画面２０３内の任意の位置にカーソル２５０を移動させ、この状態でマウスをクリックする（ドラッグする）ことで擬似子画面２０３の位置を自由に変更することができる。また、同図（Ｂ）に示すように、操作部１４（主にマウス）を操作して擬似子画面２０３の端部（ウィンドウ枠）にカーソル２５０を移動させ、この状態でマウスをドラッグすることで擬似子画面２０３の大きさを自由に変更することができる。ユーザは、擬似子画面２０３の位置、大きさを変更した後、設定変更を終了した旨を指示する（起動している設定変更ソフトウェアを操作して設定変更終了を指定する）と、図５（Ａ）および同図（Ｂ）に示すように、この擬似子画面２０３が消去され、同じ位置、同じ大きさで子画面２０２が再び表示される。
【００４８】
すなわち、ユーザが擬似子画面２０３の位置、大きさを変更した後、ＰＣ１の制御部１２がこの擬似子画面２０３の設定条件と同様に子画面を表示するようにディスプレイ２の制御部２２に制御信号を送信する。制御部２２はＲＡＭに展開している設定条件を、上記の様にユーザが擬似子画面２０３を変更した設定条件に書き換える。これにより、ユーザの所望の子画面の大きさ、位置に変更することができる。
【００４９】
上述したように、設定変更前、設定変更後ともに子画面２０２と同じ位置、同じ大きさに擬似子画面２０３が表示されるのでユーザはあたかも子画面２０２の大きさ、位置を直接的に変更しているように感じることができる。また、予めディスプレイ２に記憶された複数の子画面の設定条件に限定されず、ユーザ所望の位置、大きさに容易に変更することができる。
【００５０】
また、ディスプレイ２のＲＯＭ２３に上記の設定条件を記憶しておくことで、一度設定した条件をいつでも読み出すことができる。ＲＯＭ２３に設定条件を記憶しておくことで、ＰＣ１と接続されてない状態であっても、いつでもこの設定条件を読み出すことができる。さらに、本発明の実施形態に係る表示システムにおいては、ＰＣ１のＨＤＤ１３に上記の設定条件を記憶しておくことも可能である。ユーザは、操作部１４を用いて設定条件を記憶する旨の指示を行う（起動している設定変更ソフトウェアを操作して設定条件保存を指定する）と、制御部１２は、ＨＤＤ１３に子画面の位置、大きさを示す設定条件を記憶する。次回ユーザが子画面の位置、大きさを変更したいときは、このＨＤＤ１３に記憶された設定条件を読み出すように指示すればよい。ユーザが読み出し指示を行うと、制御部１２は、ＨＤＤ１３に記憶されている設定条件を読み出して、この設定条件に子画面を表示するようにディスプレイ２の制御部２２に制御信号を送信する。制御部２２はＲＡＭに展開している設定条件を、上記のＨＤＤ１３に記憶されていた設定条件に書き換える。これにより、ユーザが過去に変更した所望の子画面の大きさ、位置にいつでも変更することができる。なお、上記のＨＤＤ１３に設定条件を記憶する動作は、起動している設定変更ソフトウェアにより自動的にされるようにしてもよい。
【００５１】
ＨＤＤ１３の記憶容量は、ディスプレイ２のＲＯＭ２３の記憶容量に比較して大容量であるので、ユーザはディスプレイ２の使用条件（ＴＶ鑑賞用、ゲーム用、パソコン用）に応じた子画面の設定をいくつも保存しておくことができる。
【００５２】
以上の説明は、ユーザがＰＣ１内蔵のソフトウェアを操作してディスプレイ２の子画面を設定変更する場合を示したが、本発明の構成によれば、ネットワークを介して接続される他のＰＣ（例えば管理用ＰＣ）に内蔵のソフトウェアを操作して、管理用ＰＣがＰＣ１に制御指示を行うことで子画面の設定を変更することもできる。また、複数のＰＣ１を接続している場合、管理用ＰＣが全表示システムのディスプレイを一括して設定変更する指示を行うこともできる。
【００５３】
図６は、複数のＰＣとネットワーク接続される管理用ＰＣによる表示管理システムの構成を示すブロック図である。管理用ＰＣ４は、ネットワーク３を介して接続している各ＰＣ１に対して子画面の設定を変更する制御信号を送信するように指示することができる。子画面の設定は、管理用ＰＣ４を操作するユーザが指定してもよいし、管理用ＰＣ４のＨＤＤ（図示せず）に予め保存されてある設定情報を読み出すようにしてもよい。ネットワーク３は、有線であってもよいし、無線であってもよい。管理用ＰＣ４は各端末ＰＣ１にＴＣＰ／ＩＰにより指示情報を送信する。つまり、管理用ＰＣ４は、各ＰＣ１を経由して全てのディスプレイ２の子画面設定を管理することができ、一括して子画面の位置、大きさを変更することができる。なお、各ディスプレイ毎に個別に子画面の位置、大きさを変更することも可能である。
【００５４】
なお、ＰＣ１と管理用ＰＣ４はディスプレイ２の制御部２２のＲＡＭに展開している内容を参照することもできる。ＰＣ１の制御部１２は、ディスプレイ２の制御部２２にＲＡＭに展開している内容を読み出しできるようにするための制御信号を送信する。制御部２２は、これに従いＲＡＭの内容をＰＣ１に出力する。ＰＣ１は制御部２２から出力されたＲＡＭの内容を読み出す。このように、ＰＣ１はディスプレイ２の現在の子画面設定条件を取得することができ、管理用ＰＣ４は各ＰＣ１からディスプレイ２の現在の子画面設定を取得して管理することができる。
【００５５】
次に、表示システムの動作について詳細に説明する。図７は、表示システムの子画面変更動作を示すフローチャートである。まず、ＰＣ１の制御部１２は、ユーザが設定変更を指示したか否かを判断する（ｓ１０）。上述したように、ユーザは、起動している専用の設定変更ソフトウェア等によって設定変更を指示する。設定変更を指示すると、制御部１２は、ディスプレイ２に子画面消去を行うよう制御信号を送信する（ｓ１１）。ディスプレイ２の制御部２２は、これを受信し（ｓ２０）、子画面を消去して親画面（ＰＣ映像信号）のみを表示する（ｓ２１）。なお、ここで制御部１２が送信する制御信号は、ＤＤＣ／ＣＩ規格に準拠したコマンドによって送信されるが、ＰＣ映像信号は常にディスプレイ２に送信されているものとし、親画面にはＰＣ映像信号が常時表示されているものとする。
【００５６】
その後、ＰＣ１の制御部１２は、ＰＣ映像信号に擬似子画面を合成展開する（ｓ１２）。擬似子画面はＲＡＭ１５（または映像出力用専用メモリ）に展開している出力映像信号を変更することで表示する。制御部１２は、この擬似子画面を、ユーザの操作（マウスによるドラッグ操作）に応じてその位置、大きさを変更する（ｓ１３）。
【００５７】
制御部１２は、設定変更を終了する指示をしたか否かを判断し（ｓ１４）、設定変更終了指示が無ければ。擬似子画面をユーザの操作に応じて変更する処理を繰り返す（ｓ１４→ｓ１３）。設定変更終了指示がされると、現在の擬似子画面の位置、大きさに子画面が表示されるように、ディスプレイ２に表示される子画面の設定条件を決定する（ｓ１５）。その後、ディスプレイ２に対して子画面の設定条件を変更する制御信号、および子画面を再表示する制御信号を送信する（ｓ１６）。ディスプレイ２の制御部２２は、これを受信し（ｓ２２）、ＲＡＭに展開している子画面設定条件を変更し、変更された条件で子画面を再表示する（ｓ２３）。
【００５８】
制御部１２は、ディスプレイ２に子画面設定条件を変更する制御信号を送信した後、擬似子画面を消去する（ｓ１７）。また、ユーザはマニュアルで上記変更した子画面設定条件をＨＤＤ１３に記憶するよう指示することができる。ＨＤＤ１３に設定条件を記憶しておくことで、後のこの設定条件を読み出すことができ、ユーザは過去に変更した条件を容易に指定することができる。なお、この記憶処理は制御部１２により、上記ｓ１７の処理の後に自動的に行ってもよい。
【００５９】
なお、本実施形態の表示システムにおいては、ＰＣ１が制御信号を送信して子画面の設定を変更する例を示したが、無論、従来のディスプレイのようにディスプレイ２に設置された操作ボタンやリモコン、タッチパネル等によって子画面の設定を変更することも可能である。
【００６０】
以上のようにして、本実施形態の表示システムは、ディスプレイ２を接続しているＰＣ１が制御信号を送信することで子画面の設定条件を変更することができる。この表示システムでは、マウス等の操作手段を用いてディスプレイに表示された擬似子画面を操作することで、ユーザが所望の子画面の大きさ、位置に容易に変更することができる。また、各ＰＣ１を管理する管理用ＰＣ４から一括して子画面の設定条件を変更することもできる。
【００６１】
なお、本実施形態では映像信号ケーブルを用いてＤＤＣ／ＣＩ規格に準拠したコマンド送受信によりＰＣ１が制御信号を送信する例を示したが、これに限るものではない。例えばＵＳＢや専用のインタフェースを用いて、制御信号を送信するようにしてもよい。また、ケーブルによる有線接続に限るものではなく、無線接続により制御信号を送信するようにしてもよい。無論、ディスプレイとしてはＬＣＤに限るものではなく、ＣＲＴやプロジェクタ等の他のディスプレイであってもよい。
【００６２】
また、本実施形態においては情報処理装置としてＰＣを用いた例について説明したが、例えば携帯電話など他の情報処理装置であってもよい。
【図面の簡単な説明】
【００６３】
【図１】本発明の表示システムのブロック図
【図２】多画面表示を説明する図
【図３】子画面の位置、大きさの変更を示した図
【図４】ユーザが任意に設定する場合における子画面の位置、大きさの変更を示した図
【図５】子画面の位置、大きさの変更を示した図
【図６】複数のＰＣとネットワーク接続される管理用ＰＣによる表示管理システムの構成を示すブロック図
【図７】表示システムの子画面変更動作を示すフローチャート
【符号の説明】
【００６４】
１−ＰＣ
２−ディスプレイ
１１−（ＰＣの）インタフェース
１２−（ＰＣの）制御部
１３−ＨＤＤ
１４−操作部
１５−ＲＡＭ
２１−（ディスプレイの）インタフェース
２２−（ディスプレイの）制御部
２３−ＲＯＭ
２４−チューナ
２５−音声処理部
２６−スピーカ
２７−画像処理部
２８−表示部
【図１】
0005546090.tif 000002
【図２】
0005546090.tif 000003
【図３】
0005546090.tif 000004
【図４】
0005546090.tif 000005
【図５】
0005546090.tif 000006
【図６】
0005546090.tif 000007
【図７】
0005546090.tif 000008